(57)【要約】缶充填処理が提供される。前記処理は、第１の端部と第２の端部とを有する金属缶本体（１）を提供する工程であって、前記第２の端部は、剥離可能な蓋（２）によって閉じられる、工程と、前記缶本体（１）を前記剥離可能な蓋の下から支持する工程であって、模様がエンボス加工された支持表面を前記剥離可能な蓋に提示することを含む、工程とを含む。前記剥離可能な蓋を製品によって前記支持面（３）に対して押圧し、前記模様を前記剥離可能な蓋（２）に刻印するように、圧縮ラムを使用して前記第１の端部を介して前記製品を前記缶本体に充填し、前記第１の端部に閉部が与えられる。【選択図】  図４
2014534135.tif 000002
【特許請求の範囲】
【請求項１】
缶充填方法であって、前記方法は、
第１の端部と第２の端部とを有する金属缶本体を提供する工程であって、前記第２の端部は、剥離可能な蓋によって閉じられる、工程と、
前記缶本体を前記剥離可能な蓋の下から支持する工程であって、模様がエンボス加工された支持表面を前記剥離可能な蓋に提示することを含む工程と、
前記剥離可能な蓋を製品によって前記支持面に対して押圧し、前記模様を前記剥離可能な蓋に刻印するように、圧縮ラムを使用して前記第１の端部を介して前記製品を前記缶本体に充填する工程と、
前記第１の端部に閉部を与える工程と
を含む缶充填方法。
【請求項２】
前記剥離可能な蓋は、金属ホイルからなる、請求項１に記載の方法。
【請求項３】
前記支持表面にエンボス加工された前記模様は、ロゴのネガイメージである、請求項１または２に記載の方法。
【請求項４】
前記圧縮ラムは、前記製品に対して１．５〜１０ｋＮの力を付与する、請求項１〜３のいずれか１つに記載の方法。
【請求項５】
前記支持表面は、前記剥離可能な蓋を覆うように前記缶本体に取り付けられたオーバーキャップによって提供される、請求項１〜４のいずれか１つに記載の方法。
【請求項６】
前記オーバーキャップは、プラスチックからなる、請求項５に記載の方法。
【請求項７】
前記充填する工程中、前記缶本体を前記オーバーキャップの下から支持する工程を含む、請求項５または６に記載の方法。
【請求項８】
前記支持表面は、支持板によって提供される、請求項１〜４のいずれか１つに記載の方法。
【請求項９】
金属缶本体と、
前記缶本体の第１の端部にシーム加工される閉部と、
前記缶本体の内部空間内に含まれる力充填される食料品と、
前記缶本体の第２の端部を閉じる剥離可能な蓋と、
前記剥離可能な蓋を覆うように前記第２の端部において前記缶本体に取り付けられるオーバーキャップと
を備え、
エンボス加工された模様が、前記剥離可能な蓋と対向する、前記オーバーキャップの内側表面に設けられており、同一の模様が、前記オーバーキャップによって前記剥離可能な蓋に刻印される、製品。
【請求項１０】
前記剥離可能な蓋は、金属ホイルからなる、請求項９に記載の製品。
【発明の詳細な説明】
【技術分野】
【０００１】
本発明は、缶に充填するための方法に関し、より詳細には剥離可能な蓋にエンボス加工をもたらす充填方法に関する。
【背景技術】
【０００２】
いくつかの食用製品、例えばオート麦の缶詰化については、缶製造業者が、食用製品の製造業者に底部が開放した缶本体を供給することが通常のやり方である。当該底部が開放した缶本体は、缶本体の上端の開口部にわたって、離れた缶の底部または端部とともに、熱封止された剥離可能な膜蓋を用いて予め封止されている。剥離可能な蓋は、典型的には、金属ホイルからなり、それを消費者に審美的に好ましい外観を与えるように模様やロゴでエンボス加工され得る。食用製品の製造業者は、缶底を開口部にわたってシーム加工することによって缶本体を閉じる前に、底の開口部を介して缶に充填する。プラスチック製のオーバーキャップは、しばしば、蓋を保護するために、缶の上端部の上に、すなわち剥離可能な蓋の上に直接置かれる。オーバーキャップは、充填後に取り付けてもよいが、通常、充填施設で行われなければならない組立工程を削減するために、缶製造業者によって缶本体に予め取り付けられる。
【０００３】
上述の方法は、缶本体を逆さまにした状態で缶本体に製品を分配する必要がある。したがって、製品が落ち、ホイル蓋を押し下げる。いくつかの製品、例えばオートミール粥は、かなりの力の下で充填される。ここでは、圧縮ラム（ｒａｍ）がオートミールを缶本体に押しやり、製品内に閉じ込められた空気を取り除くように用いられる。これは「力充填（ｆｏｒｃｅ  ｆｉｌｌｉｎｇ）」として知られている。ホイル蓋への直接的な力充填により、ホイルを変形、例えばホイルにしわを形成したり、エンボス加工された模様やロゴにダメージを与えたりし得る。
【０００４】
この問題は、ホイル蓋が所定の場所にない状態で、むしろ底部が予めシーム加工された状態で充填施設に缶本体を提供することによって回避することができる。しかしながら、これは、ホイル蓋を充填施設において充填した後に取り付けることを必要とする。これは、少なくとも、（中央の缶製造工場においてのみだけでなく）充填施設の各々において新たな製造設備の設置を必要とするので、実現することは難しい。さらに、取り付けが上部と下部の両端から缶本体へのアクセスを必要とする場合には、充填後にホイル蓋を取り付けることは実用的ではないかもしれない。
【発明の概要】
【発明が解決しようとする課題】
【０００５】
本発明は、缶の剥離可能な蓋に直接的に製品を充填する力から生じる問題を軽減することを目的とする。この目的は、充填方法中に加えられる力によって剥離可能な蓋に転写されるエンボス加工した模様を組み込んだ蓋のオーバーキャップを提供することによって達成される。
【課題を解決するための手段】
【０００６】
本発明の第１の態様によれば、缶充填方法が提供される。前記方法は、第１の端部と第２の端部とを有する金属缶本体を提供する工程であって、前記第２の端部は、剥離可能な蓋によって閉じられる、工程と、前記缶本体を前記剥離可能な蓋の下から支持する工程であって、模様がエンボス加工された支持表面を前記剥離可能な蓋に提示することを含む工程とを含む。前記剥離可能な蓋を製品によって前記支持面に対して押圧し、前記模様を前記剥離可能な蓋に刻印するように、圧縮ラムを使用して前記第１の端部を介して前記製品を前記缶本体に充填し、前記第１の端部に閉部が与えられる。
【０００７】
本発明の実施形態は、充填後のホイル蓋の見た目を改善することができる。充填時にホイル蓋に模様をエンボス加工することにより、模様が変形することを回避することを助けることができる。この模様の変形は、予めエンボス加工されたホイル蓋の充填の際に発生し得た。さらに、ホイル蓋の製造中に、別個のエンボス加工工程のために必要された製造方法が簡略化され、潜在的に回避することができる。
【０００８】
本発明の実施形態は、オーバーキャップに剥離可能な蓋を押しつけるという不利点を利点に変える。力充填処理中にいくつかの非所望の模様が作成または転写されるのではなく、所望の模様が転写される。
【０００９】
本発明は、金属ホイル蓋と最もよく機能するが、蓋の他の材料も利用することができることに留意されたい。
【００１０】
支持表面は、剥離可能な蓋を覆うように、缶本体に取り付けられるオーバーキャップ、例えばプラスチック製のオーバーキャップによって提供することができる。代替的には、オーバーキャップが設けられていない場合には、支持表面を支持板によって提供することができる。
【００１１】
本発明の第２の態様によれば、製品が提供される。前記製品は、金属缶本体と、前記缶本体の第１の端部にシーム加工される閉部と、前記缶本体の内部空間内に含まれる力充填される食料品とを備える。前記製品は、さらに、前記缶本体の第２の端部を閉じる剥離可能な蓋と、前記剥離可能な蓋を覆うように前記第２の端部において前記缶本体に取り付けられるオーバーキャップとを備える。エンボス加工された模様が、前記剥離可能な蓋と対向する、前記オーバーキャップの内側表面に設けられており、同一の模様が、前記剥離可能な蓋に刻印される。前記剥離可能な蓋は、金属ホイルからなる。
【図面の簡単な説明】
【００１２】
【図１】図１は、金属缶に力充填するための方法の工程を示すフロー図である。
【図２】図２は、力充填処理の様々な段階中の缶の断面図である。
【図３】図３は、力充填処理の様々な段階中の缶の断面図である。
【図４】図４は、力充填処理の様々な段階中の缶の断面図である。
【発明を実施するための形態】
【００１３】
前述したように、缶製造業者は、典型的には、充填施設に２つの部分からなる缶を提供する。第１の部分は、一方の端部にわたって封止され、プラスチック製のオーバーキャップで閉じたホイル蓋を有する円筒状の金属缶本体を含み、第２の部分は、缶の開口した端部にシーム加工するのに適した金属缶の端部を含む。上述したように、力充填は、例えばエアポケットをなくすことによって缶にさらなる製品を押し込むために、充填処理中に用いられる。典型的には、プラスチック製のオーバーキャップは、蓋の破裂または蓋の封止へのダメージを防ぐために、力充填の間、下から支持されている。しかしながら、ホイル蓋上への直接的な充填力より、蓋が変形（例えばしわ）され、またはへこみが形成され得る。これは、予めエンボス加工された模様を有する蓋が提供された場合には特に問題である。
【００１４】
ここで、金属缶に力充填するための改善された方法を図面を参照しながら記載する。当該方法は、エンボス加工された模様を作成するために、圧縮ラムを使用して、充填中に、エンボス加工されていない（「プレーン」）剥離可能な膜蓋に付与する力を用いる。これは、ホイル蓋と接触しているまたはホイル蓋に非常に近接している、缶本体の端部を覆うオーバーキャップを缶本体に供給することによって容易になる。オーバーキャップは、その内側表面に、ホイル蓋にエンボス加工される模様の「ネガ」を有している。
【００１５】
図１は、金属缶本体に力充填するための方法の特定の工程を示すフロー図である。当該方法の工程は以下の通りである。
Ａ１．プレーン、つまりエンボス加工されていない剥離可能なホイル蓋を缶本体に提供する。当該剥離可能なホイル蓋は、缶本体の上端の開口部にわたって熱で封止され、缶本体の底端部は、開口したままである。缶本体にはまた、オーバーキャップの内側表面が蓋と接触しているまたは蓋に非常に近接するように、缶本体の上端部の上に置かれるオーバーキャップが提供される。オーバーキャップの内側表面は、ホイル蓋に転写される模様でエンボス加工されている。
Ａ２．圧縮ラムによって製品に加えられる力を用いて缶本体の開口した底端部を介して製品を缶本体に充填する（これにはいくつかの充填および圧縮段階を伴い得る）。
Ａ３．製品に加えられた力は、エンボス加工された模様またはロゴがホイル蓋に転写されるように、エンボス加工されたオーバーキャップの内側表面に対してプレーンなホイル蓋を押圧する。
Ａ４．缶を閉じるために、缶本体の底の開口部に端部をシーム加工する。
【００１６】
図２は、ほぼ円筒状の缶本体１の断面図である。缶本体１は、典型的には、食品製造業者によって充填するのに適している状態で、缶製造業者によって提供される。製造業者は、缶本体を製品で充填し、また缶本体に底端の閉部をシーム加工することができる機構を有する。缶製造業者によって供給された缶本体１は、プレーンな（すなわち平らまたは「エンボス加工されていない」）剥離可能な金属ホイル蓋２が缶本体１の一端にわたって予め封止されている。ホイル蓋は、食品製造業者に供給される前に缶製造業者によって缶本体に（例えば缶本体の端部において形成されたフランジまたはビードに）熱によって封止される。勿論、熱による封止以外の封止処理が可能である。
【００１７】
剥離可能な蓋２が封止された缶本体１の端部は、最終消費者が剥離可能なホイル蓋を剥がすことによって、食用製品を入手できる缶の上部であることが意図される。しかしながら、充填方法中、缶は、開口した底部を介して充填されるので、図に示すように、缶は上下逆さまに保持される。ホイル蓋は、典型的には、金属ホイルからなるが、金属ホイルの代わりに適した代替物を用いることができ、例えば積層多層膜を用いることができる。要件としては、材料が、転写された模様を保持することができるように、材料は塑性変形可能であることである。
【００１８】
缶本体１には、矢印Ａで示すように、缶本体１の端部の上に位置するオーバーキャップ３が提供される。オーバーキャップは、典型的には、缶本体１の端部の上に既に位置する状態で缶製造業者によって供給されるが、剥離可能な膜蓋２をより容易に見ることができるようにするために、図１では、缶本体から分離したものとして示している。オーバーキャップ３は、典型的には、プラスチックからなり、エンボス加工された模様４は、オーバーキャップが缶本体１の端部の上に位置する場合には、剥離可能な膜蓋２に対して対向して位置する内側表面に設けられている。図２では、エンボス加工された模様は、規則的な格子である。
【００１９】
図３は、上述した方法の工程Ａ２およびＡ３中の図２の缶本体の断面図である。缶本体１が力Ｐの下、製品５（例えば、粉末状またはフレーク状の製品）で充填されている。力Ｐは、金属缶に力充填する場合には、典型的には、１．５〜１０ｋＮである。力Ｐは、矢印Ｆで示すように製品５を介して剥離可能な膜蓋２に転写される。この力Ｆにより、オーバーキャップ３の内側表面に対して剥離可能な蓋２が押圧される。工程Ａ３において記載したように、エンボス加工された模様が剥離可能な蓋の変形可能かつ塑性的な性質によりオーバーキャップ３に対して押圧されながら、エンボス加工された模様４が剥離可能な蓋に転写される。
【００２０】
充填した後、図４の矢印Ｂで示すように、缶は、缶本体の開口した端部にわたって缶の底部をシーム加工することによって封止される。剥離可能な膜蓋２に転写されたエンボス加工された模様を図４において見ることができる。一度缶本体が閉じられると、図５に示すように、缶本体を正しい方向に回転させることができる。図５において、オーバーキャップ３は、依然として缶の上端部の上の位置し、剥離可能な膜蓋２を保護している。図５に示すように、缶は、販売業者に出荷する準備ができている状態になっている。
【００２１】
上述した実施形態は、オーバーキャップの内側表面に設けられたエンボス加工した模様に言及している。模様は、会社のロゴなどの場合には、オーバーキャップの内側表面のエンボスは、ロゴのネガを示さなければならない。
【００２２】
様々な改変が本発明の範囲から逸脱することなく上述の方法になされ得ることは、当業者には理解される。例えば、力充填処理中にホイル蓋に模様を示すようにオーバーキャップを使用するよりも、キャップが省略され、模様は、むしろ缶本体が支持される支持面に組み込まれてもよい。表面は、製造ラインの一部として提供される支持板の上面であってもよい。
【図２】
2014534135.tif 000003
【図３】
2014534135.tif 000004
【図４】
2014534135.tif 000005
【図５】
2014534135.tif 000006
【図１】
2014534135.tif 000007
【国際調査報告】
2014534135.tif 000008
2014534135.tif 000009
2014534135.tif 000010